(57)【特許請求の範囲】
【請求項１】
開口部を有し、内側に家庭用薄葉紙を収納する容器本体と、前記開口部を閉塞するように前記容器本体に着脱自在に取り付けられる蓋体と、を備える家庭用薄葉紙収納容器であって、
前記蓋体は、
前記容器本体に取り付けられた状態で、その容器本体の内部に連通する貫通口が形成された蓋体本体と、
前記貫通口に着脱可能に取り付けられる取出部と、
一端が前記取出部に連結され他端が前記蓋体本体に連結されて、前記取出部を前記蓋体本体に連結する連結部と、
を備え、
前記取出部は、前記貫通口に取り付けられた状態で前記家庭用薄葉紙の取り出し方向に貫通する取出孔と、前記貫通口に取り付けられた状態で前記家庭用薄葉紙の取り出し方向へ移動しないように、前記貫通口に係着する係着部を備え、
前記取出部には、その取出部の外周端から前記取出孔に向かうスリットが形成されており、前記スリットを通じて前記取出孔に前記家庭用薄葉紙を挿通可能に構成されており、
前記連結部の一端が前記取出部に連結している部分には、略円弧形状を呈して突出する突起部が設けられており、前記取出部が前記貫通口に取り付けられた状態において、前記突起部と前記蓋体本体に設けられ略Ｃ字形状を呈して突出している突起部とは一体的に連続する略円環形状を呈する突起となることを特徴とする家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、長さ方向に一定間隔をおいてミシン目が施されている家庭用薄葉紙を家庭用薄葉紙収納容器から取り出すための引出口として、ミシン目を切断分離せずに家庭用薄葉紙を容器から引き出すことができ、更に容器から引き出した家庭用薄葉紙のミシン目を切断分離せしめるのに必要な抵抗を与え得る取出孔が形成されているゴム製の山高帽子状部材が蓋体に備えられている容器が知られている（例えば、特許文献１参照。）。
【特許文献１】実公平７−１２３１０号公報
【発明の開示】
【発明が解決しようとする課題】
【０００３】
しかしながら、上記特許文献１の場合、家庭用薄葉紙収納容器に、新たな家庭用薄葉紙を装填した際などに、その家庭用薄葉紙の１枚目に当たる端部を山高帽子状部材の小さな取出孔に通し難いために、家庭用薄葉紙の詰め替え作業が煩わしいものとなることがあるという問題があった。
また、より容易に家庭用薄葉紙を取出孔に通すために、山高帽子状部材を蓋体から取り外して、その山高帽子状部材の取出孔に家庭用薄葉紙の端部を通した後、再度山高帽子状部材を蓋体に取り付けるという手法もあるが、その際に蓋体から外された山高帽子状部材を紛失してしまうことがあるという問題があった。
【０００４】
本発明の目的は、家庭用薄葉紙を容易に取出孔に挿通することができる家庭用薄葉紙収納容器を提供することである。
【課題を解決するための手段】
【０００５】
以上の課題を解決するため、請求項１に記載の発明は、
開口部を有し、内側に家庭用薄葉紙を収納する容器本体と、前記開口部を閉塞するように前記容器本体に着脱自在に取り付けられる蓋体と、を備える家庭用薄葉紙収納容器であって、
前記蓋体は、
前記容器本体に取り付けられた状態で、その容器本体の内部に連通する貫通口が形成された蓋体本体と、
前記貫通口に着脱可能に取り付けられる取出部と、
一端が前記取出部に連結され他端が前記蓋体本体に連結されて、前記取出部を前記蓋体本体に連結する連結部と、
を備え、
前記取出部は、前記貫通口に取り付けられた状態で前記家庭用薄葉紙の取り出し方向に貫通する取出孔と、前記貫通口に取り付けられた状態で前記家庭用薄葉紙の取り出し方向へ移動しないように、前記貫通口に係着する係着部を備え、
前記取出部には、その取出部の外周端から前記取出孔に向かうスリットが形成されており、前記スリットを通じて前記取出孔に前記家庭用薄葉紙を挿通可能に構成されており、
前記連結部の一端が前記取出部に連結している部分には、略円弧形状を呈して突出する突起部が設けられており、前記取出部が前記貫通口に取り付けられた状態において、前記突起部と前記蓋体本体に設けられ略Ｃ字形状を呈して突出している突起部とは一体的に連続する略円環形状を呈する突起となることを特徴とする。
【発明の効果】
【０００８】
本発明によれば、家庭用薄葉紙収納容器において、蓋部における蓋体本体の貫通口に着脱可能となっている取出部は、連結部によって容器本体に一体に連結されているので、家庭用薄葉紙の詰め替え中などに、その取出部を紛失してしまうようなことはない。
また、その取出部を取り外した貫通口は、比較的大きな開口であるので、容器本体内の家庭用薄葉紙を摘んで、その貫通口を通じて容器の外側につまみ出しやすい。
そして、貫通口からつまみ出した家庭用薄葉紙の一端を、取出部のスリットを通じて取出孔部分に引き込むことができるので、家庭用薄葉紙を取出部の取出孔に容易に挿通することができる。
従って、この家庭用薄葉紙収納容器であれば、取出部の取出孔が小さな穴であっても、その取出孔に容易に家庭用薄葉紙を挿通することができる。
【発明を実施するための最良の形態】
【０００９】
以下、図を参照して、本発明に係る家庭用薄葉紙収納容器の具体的な態様を詳細に説明する。ただし、発明の範囲は、図示例に限定されない。
【００１０】
図１は、本発明を適用した好適な実施形態として例示する家庭用薄葉紙収納容器１００を正面上方から見た斜視図であり、図２は、図１におけるII−II断面を含む蓋体１２の横断面図である。図３は、図１の家庭用薄葉紙収納容器１００において蓋体本体１３の貫通口１３ａから取出部１４が取り外された状態を示す斜視図であり、図４は、図３におけるIV−IV断面を含む蓋体１２の横断面図である。
【００１１】
本実施形態に係る家庭用薄葉紙収納容器１００は、図１〜図４に示すように、例えば、内側にロール状の家庭用薄葉紙Ｐ（例えば、ロール状に巻かれたウェットシートやウェットティッシュ等のロールペーパー）を収納する容器本体１１と、この容器本体１１に設けられた開口部１１ａを閉塞するように容器本体１１に着脱自在に取り付けられる蓋体１２と、蓋体１２における蓋体本体１３に配設された取出部１４を開閉するように蓋体本体１３に回動可能に取り付けられたトグルキャップ１６等を備えて構成されている。
この家庭用薄葉紙収納容器１００に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
なお、以下の説明では、家庭用薄葉紙収納容器１００の前後方向をＸ軸方向として、トグルキャップ１６の回動軸が設けられている側を後側とし、その反対側を手前側とする。さらに、正面視にて左右方向（幅方向）をＹ軸方向とし、上下方向をＺ軸方向とする。
【００１２】
容器本体１１は、図示しない下底部を有するとともに上端部に開口部１１ａが設けられた有底円筒形状をなし、その上端部の外周面には周方向に沿って雄ネジ部１１ｂが設けられている（図６参照）。なお、図１、図３では、容器本体１１の下部の図示を省略して記載している。
本実施形態における容器本体１１は、例えば、ＰＥ（ポリエチレン）やＰＰ（ポリプロピレン）、或いはＡＢＳ樹脂等から形成されている。
【００１３】
蓋体１２は、貫通口１３ａを有する蓋体本体１３と、蓋体本体１３の貫通口１３ａに着脱可能に取り付けられる取出部１４と、取出部１４を蓋体本体１３に連結する連結部１５等を備えている。
【００１４】
蓋体本体１３は、天面部１３１を有するとともに下端部が開放された円筒形状をなし、開放された下端部の内周面には容器本体１１の雄ネジ部１１ｂと螺合する雌ネジ部１３２が設けられている。
そして、容器本体１１と蓋体本体１３とは、雄ネジ部１１ｂと雌ネジ部１３２を介して着脱自在に螺着される（図６参照）。これにより、容器本体１１の開口部１１ａが開閉自在となり、容器本体１１から蓋体１２を取り外した状態で、容器本体１１の内部に家庭用薄葉紙Ｐを収納したり取り出したりすることができるようになっている。なお、本実施形態では、家庭用薄葉紙Ｐが、上下方向（Ｚ軸方向）を中心としてロール状に巻かれた状態で容器本体１１に収納されるようになっている。
【００１５】
この蓋体本体１３の天面部１３１には、その略中央部に、蓋体１２（蓋体本体１３）が容器本体１１に取り付けられた状態で、その容器本体１１の内部に連通する平面視円形状を呈する貫通口１３ａが形成されており（図３、図４参照）、その貫通口１３ａの周囲には、平面視略Ｃ字形状を呈してＺ軸方向上側（上方向）に突出する突起部１３３が設けられている。
なお、本実施形態における蓋体本体１３は、例えば、ＰＥ（ポリエチレン）やＰＰ（ポリプロピレン）、ＰＥＴ（ポリエチレンテレフタレート）等、可撓性を有する樹脂材料から形成されている。
【００１６】
取出部１４は、蓋体本体１３の貫通口１３ａの内径よりも、やや大きい外径を有する略円盤形状に形成されており、この取出部１４の略中央に取出孔１４１が設けられている。
本実施形態における取出部１４は、例えば、ＰＥ（ポリエチレン）やＰＰ（ポリプロピレン）、ＰＥＴ（ポリエチレンテレフタレート）等、可撓性を有する樹脂材料から形成されている。
また、取出部１４の外周の一部には連結部１５の一端が連結している。
【００１７】
取出部１４の一方の面（取出部１４が貫通口１３ａに取り付けられた状態での下面）には、貫通口１３ａの内径とほぼ同じ径を有し略円環形状に突出する係着部１４２が設けられている。また、この係着部１４２の先端には、水平方向外側に延在する係着縁部１４２ａが形成されている。
そして、この係着部１４２を貫通口１３ａに嵌め合わせて、係着縁部１４２ａを蓋体本体１３の内面に係着させることによって、取出部１４を蓋体本体１３の貫通口１３ａに着脱可能に取り付けることができる。
【００１８】
取出部１４の他方の面（取出部１４が貫通口１３ａに取り付けられた状態での上面）における、連結部１５の一端が連結している部分には、平面視略円弧形状を呈して突出する突起部１４３が設けられている。
そして、取出部１４が貫通口１３ａに取り付けられた状態において、取出部１４の突起部１４３と、蓋体本体１３の突起部１３３とは一体的に連続する略円環形状を呈する突起となる。
【００１９】
取出部１４の取出孔１４１は、取出部１４が貫通口１３ａに取り付けられた状態で家庭用薄葉紙Ｐの取り出し方向に貫通しており、その取出孔１４１の周囲には前後左右方向の４箇所に切欠部１４１ａが形成されている。
また、取出部１４において連結部１５の一端が連結している外周部分の反対側であって、取出孔１４１を挟んだ連結部１５の反対側には、取出部１４の外周端から取出孔１４１に向かう切り込みであるスリット１４４が形成されている。
この取出部１４は可撓性を有しているので、図５（ｂ）に示すように、スリット１４４の隙間を広げるように変形することができ、また、図５（ａ）に示すように、スリット１４４の隙間を閉じるように、その形状は復元するようになっている。
【００２０】
また、取出部１４において、取出孔１４１の周囲の厚さは、取出部１４の外周端側の厚さよりも薄く形成されており、取出孔１４１の周囲が、家庭用薄葉紙Ｐの取り出し方向に撓むようになっている。そして、この取出孔１４１から家庭用薄葉紙Ｐを引き出す際に、取出孔１４１の周囲が家庭用薄葉紙Ｐに追随するように撓むこととなって、その撓みが復元する際の反発力が、家庭用薄葉紙Ｐに摩擦抵抗として作用するようになっている。
【００２１】
連結部１５は、取出部１４を貫通口１３ａから取り外した際に、取出部１４が蓋体本体１３から分離してしまわないように一体的に連結するためのものであり、その一端が取出部１４に連結されており、他端が蓋体本体１３の天面部１３１の端に連結されている。
本実施形態における連結部１５は、例えば、ＰＥ（ポリエチレン）やＰＰ（ポリプロピレン）、ＰＥＴ（ポリエチレンテレフタレート）等、可撓性を有する樹脂材料から形成されている。
特に、本実施形態の蓋体１２における、蓋体本体１３と取出部１４と連結部１５とは、一体成型により同一の樹脂材料によって形成されている。
そして、連結部１５の他端は、蓋体本体１３の天面部１３１に対して、その厚さをＹ軸方向に沿って一部薄くなる折り目状に形成されており、その折り目を軸心として回動可能になっている。
【００２２】
また、連結部１５の下面には、嵌合凹部１５ｂが形成されており、取出部１４を貫通口１３ａに取り付けた際に、天面部１３１に形成されている嵌合凸部１３ｂが嵌合凹部１５ｂに嵌入することで、連結部１５が蓋体本体１３に固定されるようになっている。
【００２３】
トグルキャップ１６は、例えば、蓋体本体１３の天面部１３１にＹ軸方向に沿って配された図示しない回動軸によって軸支され、その天面部１３１に対して回動可能に配設されており、閉蓋状態と開蓋状態とに切り替えられるようになっている。
このトグルキャップ１６は、閉蓋状態と開蓋状態のそれぞれの配置において、それぞれ安定した状態に配されるようになっており、例えば、可動範囲内における所定の中間位置に対応する回動角度（例えば、図２参照）よりも取出部１４に接近された際には閉蓋状態となるように付勢され、また、上記所定の回動角度よりも取出部１４から離間された際には開蓋状態（図６参照）となるように付勢されている。また、トグルキャップ１６は、閉塞状態と開放状態の中間位置において安定な状態を維持するようになっており、突起（突起部１３３、突起部１４３）と係合部１６との間の係合が解除されると、その中間位置に維持されるようになっている。
【００２４】
トグルキャップ１６の下面には、取出部１４を閉塞状態とした際に、突起部１４３と突起部１３３とからなる円環状の突起と係合する係合部１７が設けられている。この係合部１７は、取出部１４を閉塞する際に、突起部１４３と突起部１３３とからなる円環状の突起の外周が、係合部１７の内周と接するようにして内挿されるように、トグルキャップ１６の下面から円筒状ないし環状に突設されている。
なお、トグルキャップ１６は、天面部１３１に回動軸を介して軸支されていることに限らず、例えば、蓋体本体１３と一体に成形されたものであってもよく、その蓋体本体１３の天面部１３１に対して、その厚さをＹ軸方向に沿って一部薄くなる折り目を形成することにより、Ｙ軸方向に沿った折り目を軸線として折曲されるキャップとすることで、その折り目を軸心として回動可能にし、取出部１４を開閉する構成としてもよい。
【００２５】
次に、家庭用薄葉紙収納容器１００における家庭用薄葉紙Ｐの詰め替え動作について説明する。
【００２６】
家庭用薄葉紙収納容器１００に家庭用薄葉紙Ｐを詰め替える場合、まず、容器本体１１から蓋体１２を取り外して、家庭用薄葉紙Ｐを容器本体１１の開口部１１ａからその内部に装填する。
そして、容器本体１１に蓋体１２を取り付けて、家庭用薄葉紙収納容器１００内に家庭用薄葉紙Ｐを収納する。
【００２７】
次いで、蓋体１２の蓋体本体１３から取出部１４を取り外して、蓋体本体１３の貫通口１３ａを通じて家庭用薄葉紙Ｐの一端をつまみ出す。
この貫通口１３ａは、取出部１４の外径に応じた比較的大きな開口なので、容器本体１１内の家庭用薄葉紙Ｐを摘んで、蓋体本体１３の天面部１３１側につまみ出しやすくなっている。
また、貫通口１３ａから取り外された取出部１４は、連結部１５によって蓋体本体１３に一体に連結されているので、取出部１４を紛失してしまうことはない。
【００２８】
次いで、取出部１４のスリット１４４を開き（図５（ｂ）参照）、貫通口１３ａからつまみ出した家庭用薄葉紙Ｐの一端を、そのスリット１４４を通じて取出孔１４１部分に引き込む。
そして、スリット１４４の隙間が閉じて（図５（ａ）参照）、取出部１４の形状が復元されると、家庭用薄葉紙Ｐの一端が取出部１４の取出孔１４１に挿通された状態となる。
【００２９】
次いで、家庭用薄葉紙Ｐの一端が取出孔１４１に挿通された状態の取出部１４における係着部１４２を、蓋体本体１３の貫通口１３ａに嵌め入れて、取出部１４を蓋体本体１３に取り付ける。
この際、取出部１４の係着部１４２は、貫通口１３ａの内周面に接し、その係着部１４２の係着縁部１４２ａが、天面部１３１の内面（下面）に係着するようになっている。
【００３０】
これにより、容器本体１１の内部に収納された家庭用薄葉紙Ｐが、図６に示すように、蓋体１２に配設された取出部１４の取出孔１４１から上方に突出した状態となり、家庭用薄葉紙収納容器１００からの家庭用薄葉紙Ｐの取り出しが可能となる。
そして、トグルキャップ１６を閉じて、取出部１４を閉蓋状態とすれば、トグルキャップ１６の係合部１７が、突起部１４３と突起部１３３とからなる円環状の突起と係合するので、取出孔１４１を有する取出部１４部分が密封されることとなり、ウェットタイプの家庭用薄葉紙Ｐの乾燥を防ぐことが可能になる。
【００３１】
次に、家庭用薄葉紙収納容器１００から家庭用薄葉紙Ｐを引き出して取り出す動作について説明する。
【００３２】
家庭用薄葉紙収納容器１００から家庭用薄葉紙Ｐを引き出す場合、まず、蓋体１２におけるトグルキャップ１６を開いて、家庭用薄葉紙収納容器１００の取出部１４を開蓋状態とする。
そして、開蓋状態にされた家庭用薄葉紙収納容器１００では、図６に示すように、蓋体１２における取出部１４の取出孔１４１から、家庭用薄葉紙Ｐの端部が上方に僅かに突出した状態で保持されている。
【００３３】
そして、取出孔１４１から突出している家庭用薄葉紙Ｐの一端を摘み、図７に示すように、上方に引き上げる。
【００３４】
このとき、取出孔１４１には、家庭用薄葉紙Ｐが下方から上方、つまり、内側から外側に向けて擦れながら引き出されることによる摩擦力が作用し、取出孔１４１の周囲が上方に撓むこととによって、取出孔１４１の切欠部１４１ａが広がるようになって、取出孔１４１が通常時よりも大きく開口されるようになる。従って、家庭用薄葉紙Ｐの引き出し抵抗が緩和され、家庭用薄葉紙Ｐを取り出しやすくなる。
なお、この取出部１４は、係着部１４２の係着縁部１４２ａによって貫通口１３ａに係着しており、取出部１４は貫通口１３ａに取り付けられた状態で家庭用薄葉紙Ｐの取り出し方向へ移動しないようになっているので、家庭用薄葉紙Ｐが取り出される際に、取出部１４が貫通口１３ａから外れてしまうことはない。
【００３５】
また、これと同時に、取出孔１４１の周囲が、下方向に向けて戻ろうとする力（復元力）が生じるため、家庭用薄葉紙Ｐを上方から下方側に向けて押さえ付ける力が作用することとなる。これにより、取り出し中の家庭用薄葉紙Ｐと次の家庭用薄葉紙Ｐとの継ぎ目であるミシン目Ｐ１の部分まで引き出された際に、ミシン目Ｐ１に沿って家庭用薄葉紙Ｐが切り離される。そして、次の家庭用薄葉紙Ｐの上端部が取出孔１４１に保持されることとなる。
【００３６】
以上のように、家庭用薄葉紙収納容器１００において、蓋部１２における蓋体本体１３の貫通口１３ａに着脱可能となっている取出部１４は、連結部１５によって蓋体本体１３に一体に連結されているので、家庭用薄葉紙Ｐの詰め替え中などに、その取出部１４を紛失してしまうようなことはない。
また、その取出部１４を取り外した貫通口１３ａは、比較的大きな開口であるので、容器本体１１内の家庭用薄葉紙Ｐを摘んで、その貫通口１３ａを通じて容器の外側につまみ出しやすい。
そして、取出部１４のスリット１４４を開くようにすれば、貫通口１３ａからつまみ出した家庭用薄葉紙Ｐの一端を、そのスリット１４４を通じて取出孔１４１部分に引き込むことができるので、家庭用薄葉紙Ｐの一端を取出部１４の取出孔１４１に容易に挿通することができる。
特に、貫通口１３ａから取出部１４を取り外した状態で、その取出部１４の取出孔１４１に家庭用薄葉紙Ｐを挿通することによって、より容易に家庭用薄葉紙Ｐの挿通を行うことが可能になっている。
【００３７】
このように、本発明に係る家庭用薄葉紙収納容器１００であれば、取出部１４の取出孔１４１が小さな穴であっても、その取出孔１４１に容易に家庭用薄葉紙Ｐを挿通することができる。
【００３８】
なお、以上の実施の形態においては、蓋体１２における、蓋体本体１３と取出部１４と連結部１５とは一体成型により同一の樹脂材料で形成されているとしたが、本発明はこれに限定されるものではなく、例えば、２色成形などによって、取出部１４を、蓋体本体１３と連結部１５とは異なる樹脂材料などで形成してもよい。
【００３９】
また、以上の実施の形態において、スリット１４４は、取出部１４において取出孔１４１を挟んだ連結部１５の反対側に形成されているとしたが、本発明はこれに限定されるものではなく、例えば、取出孔１４１から取出部１４の外周端に向かうスリットであれば、任意の位置、任意の方向、任意の長さのスリットでよい。
【００４０】
また、その他、具体的な細部構造等についても適宜に変更可能であることは勿論である。
【図面の簡単な説明】
【００４１】
【図１】本発明に係る家庭用薄葉紙収納容器を正面上方から見た斜視図である。
【図２】図１におけるII−II断面を含む蓋体の横断面図である。
【図３】本発明に係る家庭用薄葉紙収納容器を正面上方から見た斜視図である。
【図４】図３におけるIV−IV断面を含む蓋体の横断面図である。
【図５】家庭用薄葉紙収納容器の蓋体における取出部を示す斜視図であり、スリットが閉じた状態を示す説明図（ａ）と、スリットが開いた状態を示す説明図（ｂ）である。
【図６】家庭用薄葉紙収納容器における取出部に家庭用薄葉紙を挿通させた状態を示す断面図である。
【図７】家庭用薄葉紙収納容器における取出部に家庭用薄葉紙を挿通させた状態を示す斜視図である。
【符号の説明】
【００４２】
１１    容器本体
１１ａ  開口部
１２    蓋体
１３    蓋体本体
１３ａ  貫通口
１３３  突起部
１４    取出部
１４１  取出孔
１４２  係着部
１４３  突起部
１４４  スリット
１５    連結部
１６    トグルキャップ
１７    係合部
１００  家庭用薄葉紙収納容器
Ｐ      家庭用薄葉紙
Ｐ１    ミシン目
【図１】
0005236997.tif 000002
【図２】
0005236997.tif 000003
【図３】
0005236997.tif 000004
【図４】
0005236997.tif 000005
【図５】
0005236997.tif 000006
【図６】
0005236997.tif 000007
【図７】
0005236997.tif 000008